【手続補正書】
【提出日】平成28年1月27日(2016.1.27)
【手続補正１】
【補正対象書類名】明細書
【補正対象項目名】００７９
【補正方法】変更
【補正の内容】
【００７９】
キオスク２００は、着用者１に対向する前面を有する２つの横方向ウィング２０６、２０７を更に有する。
【手続補正２】
【補正対象書類名】明細書
【補正対象項目名】００９０
【補正方法】変更
【補正の内容】
【００９０】
３つの光源２２０、２３０、２４０を使用することにより、画像センサ２１０は、着用者１の頭部のピッチ角δとは無関係に、これらの反射のうちの少なくともいくつかを観察することができる。具体的には、着用者１がその頭部を前方に傾斜させた際には、画像センサ２１０によって観察される反射は、ずり上がり、且つ、最終的には、ディスプレイレンズ１５０Ｇ、１５０Ｄから離脱することになることを理解されたい。
【手続補正３】
【補正対象書類名】明細書
【補正対象項目名】０１０９
【補正方法】変更
【補正の内容】
【０１０９】
ビデオカメラ２１０の水平面内において、キオスク２００のウィング２０６、２０７のうちのそれぞれのウィングの外部エッジ上に配置された２つの更なるターゲット３２０、３３０も設けられている。
【手続補正４】
【補正対象書類名】明細書
【補正対象項目名】０１１１
【補正方法】変更
【補正の内容】
【０１１１】
更には、ビデオカメラ２１０によって取得された可視画像が十分に露光するように着用者１の頭部１０を照射する、キオスク２００の２つのウィング２０６、２０７の上部エッジにおいてそれぞれ位置決めされた、２つの蛍光管２６０も設けられている。
【手続補正５】
【補正対象書類名】明細書
【補正対象項目名】０１２６
【補正方法】変更
【補正の内容】
【０１２６】
図４に示されているように、眼鏡キオスク２００の処理ユニット２５０の部分は、マウンティング２０１の基部２０２内に収容されている。これは、キオスク２００の様々な電子コンポーネントを制御するように、且つ、ビデオカメラ２１０によって取得された画像を処理するように、設計されている。
【手続補正６】
【補正対象書類名】特許請求の範囲
【補正対象項目名】全文
【補正方法】変更
【補正の内容】
【特許請求の範囲】
【請求項１】
着用者（１）の顔面上の眼鏡（１００）の着用位置を最適化するための少なくとも１つの特性を判定する方法であって、前記最適化特性は、幾何形態特性（ＥＧ、ＥＤ、ＨＤ、ＨＧ）、姿勢特性（α）、又は行動特性であり、
前記眼鏡（１００）は、フレーム（１１０）と、２つのレンズ（１５０Ｇ、１５０Ｄ）を有するものである、
方法において、
ａ）赤外光源（２２０、２３０、２４０）を使用することにより、前記着用者（１）の頭部（１０）の少なくとも一部分を照射するステップと、
ｂ）前記赤外光源（２２０、２３０、２４０）によって照射された前記着用者（１）の前記頭部（１０）の画像（３０１、３０２、３０３）を赤外線画像センサ（２１０）によって取得するステップであって、前記画像内には、前記眼鏡（１００）及び前記着用者（１）の眼が現れる、ステップと、
ｃ）ステップｂ）において取得された前記画像（３０１、３０２、３０３）内において、前記眼鏡（１００）の前記２つのレンズ（１５０Ｇ、１５０Ｄ）によって反射された前記赤外光源（２２０、２３０、２４０）の反射（１６０Ｇ、１６０Ｄ、１６１Ｇ、１６１Ｄ）及び／又は前記着用者（１）の前記２つの眼のうちの１つによって反射された前記赤外光源（２２０、２３０、２４０）の少なくとも１つの角膜反射（１６２Ｄ、１６２Ｇ）を見出すステップと、
ｄ）前記画像（３０１、３０２、３０３）内における前記反射（１６０Ｇ、１６０Ｄ、１６１Ｇ、１６１Ｄ）及び／又は前記角膜反射（１６２Ｄ、１６２Ｇ）の位置に応じて、前記幾何形態特性（ＥＧ、ＥＤ、ＨＤ、ＨＧ）、姿勢特性（α）、又は行動特性を処理ユニット（２５０）によって推定するステップと、
を有することを特徴とする方法。
【請求項２】
ステップｃ）において、ステップｂ）において取得された前記画像（３０１、３０２、３０３）内には、前記着用者（１）の両方の眼によって反射された前記赤外光源（２２０、２３０、２４０）の前記角膜反射（１６２Ｄ、１６２Ｇ）が位置している、
請求項１に記載の判定方法。
【請求項３】
ステップｂ）において、前記画像（３０１、３０２、３０３）は、７８０〜１４００ｎｍに含まれる波長を有する近赤外線の領域内において取得される、
請求項１又は２に記載の判定方法。
【請求項４】
前記姿勢特性は、ヨー角（α）を有し、前記ヨー角（α）は、前記着用者（１）の前記頭部（１０）の矢状面（Ｐ２）と前記赤外線画像センサ（２１０）の光軸（Ａ２）を分離している、
請求項１から３のいずれか一項に記載の判定方法。
【請求項５】
前記幾何形態特性は、前記着用者（１）の片眼瞳孔間距離（ＥＧ、ＥＤ）を有する、請求項１から４のいずれか一項に記載の判定方法。
【請求項６】
前記幾何形態特性は、前記着用者の瞳孔高さ（ＨＧ、ＨＤ）を有する、請求項１から５のいずれか一項に記載の判定方法。
【請求項７】
ステップｂ）において、前記赤外線画像センサ（２１０）は、前記着用者（１）の前記頭部（１０）の少なくとも２つの画像（３０１、３０２、３０３）を取得し、
ステップｃ）において、前記反射（１６０Ｇ、１６０Ｄ、１６１Ｇ、１６１Ｄ）は、ステップｂ）において取得されたそれぞれの画像（３０１、３０２、３０３）内に位置しており、且つ、
ステップｄ）において、前記行動特性は、ある程度その頭部又はその眼を移動させることにより、その凝視を回転させる前記着用者の傾向を定量化した係数を有する、
請求項１から６のいずれか一項に記載の判定方法。
【請求項８】
前記幾何形態特性は、前記着用者（１）の前記眼の回転の中心（ＯＧ、ＯＤ）の位置を有する、請求項１から７のいずれか一項に記載の判定方法。
【請求項９】
人物（１）の幾何形態特性（ＥＧ、ＥＤ、ＨＤ、ＨＧ）、姿勢特性（α）、又は行動特性の少なくとも１つを判定する装置（２００）において、
−  前記人物（１）の頭部（１０）の少なくとも一部分を照射するのに適した少なくとも１つの赤外光源（２２０、２３０、２４０）と、
−  前記赤外光源（２２０、２３０、２４０）によって照射された前記人物（１）の前記頭部（１０）の少なくとも一部分の画像（３０１、３０２、３０３）を取得するのに適した赤外線画像センサ（２１０）と、
−  前記人物（１）の瞳孔によって及び／又は前記人物（１）が着用した眼鏡（１００）の２つのレンズ（１５０Ｄ、１５０Ｇ）によって反射された前記赤外光源（２２０、２３０、２４０）の反射（１６０Ｄ、１６０Ｇ、１６１Ｄ、１６１Ｇ、１６２Ｄ、１６２Ｇ）を前記画像（３０１、３０２、３０３）上において見出し、且つ、前記反射から、前記幾何形態特性（ＥＧ、ＥＤ、ＨＤ、ＨＧ）、姿勢特性（α）、又は行動特性を推定するようにされた処理ユニット（２５０）と、
を有することを特徴とする判定装置。
【請求項１０】
前記処理ユニットは、コンピュータの中央処理ユニットによって形成され、
且つ、
前記赤外光源及び前記赤外線画像センサは、前記処理ユニットとは別個であり、前記コンピュータの前記中央ユニットと通信するのに適した通信手段を装備する、
請求項９に記載の判定装置。
【請求項１１】
前記赤外光源（２２０、２３０、２４０）、前記赤外線画像センサ（２１０）、及び前記処理ユニット（２５０）が堅固に固定される支持構造体を有する、請求項９に記載の判定装置（２００）。
【請求項１２】
前記支持構造体は、マウンティング（２０１）と、前記マウンティング（２０１）上において移動自在に取り付けられると共に前記赤外光源（２２０、２３０、２４０）及び／又は前記赤外線画像センサ（２１０）を支持するスライダ（２０５）と、を有する、
請求項１１に記載の判定装置（２００）。
【請求項１３】
前記スライダ（２０５）の移動を動力化する手段が設けられ、且つ、
前記処理ユニット（２５０）は、前記人物（１）の顔が前記赤外線画像センサ（２１０）にとって可視状態となるような位置に前記動力化手段を自動的に制御するように適合されている、
請求項１２に記載の判定装置（２００）。
【請求項１４】
前記画像センサに対して移動自在に取り付けられた単一の光源、又は、前記画像上に２つの別個の反射を生成するべく、互いに離隔した少なくとも２つの光源が、設けられる、請求項９から１３のいずれか一項に記載の判定装置。
【請求項１５】
それぞれの赤外光源（２２０、２３０、２４０）は、少なくとも１つの発光ダイオードから構成される、請求項９から１４のいずれか一項に記載の判定装置（２００）。
【請求項１６】
前記赤外線画像センサ（２１０）は、可視領域において画像を取得するのにも適する、請求項９から１５のいずれか一項に記載の判定装置（２００）。
【請求項１７】
前記赤外線画像センサとは別個であり、且つ、前記可視領域において前記着用者の画像を取得するのに適した可視画像センサが設けられる、請求項９から１５のいずれか一項に記載の判定装置。
【請求項１８】
前記可視領域において取得された前記画像を表示（２７０）及び／又は印刷（２８０）する手段が設けられる、請求項１６又は１７に記載の判定装置（２００）。
【請求項１９】
前記眼鏡（１００）の少なくとも１つの寸法を取得する手段（２９０）が設けられる、請求項９から１８のいずれか一項に記載の判定装置（２００）。